(57)【要約】【課題】人体の脚部を両側からエアーマッサージすると共に両側から脚部に振動を与えてエアーマッサージが効果的にできる。【解決手段】人体Ａの脚部Ｂの両側に接触する対となった空気袋１と、対となった空気袋１をエアーの供給と排出によって膨張収縮させるエアーポンプ２とを備えたマッサージ機３である。対となった空気袋１の対向面にそれぞれ振動手段４を設ける。【選択図】        図１
2004201843.tif 000002
【特許請求の範囲】
【請求項１】
人体の脚部の両側に接触する対となった空気袋と、対となった空気袋をエアーの供給と排出によって膨張収縮させるエアーポンプとを備えたマッサージ機において、対となった空気袋の対向面にそれぞれ振動手段を設けて成ることを特徴とするエアー圧迫と振動手段を備えたマッサージ機。
【請求項２】
振動手段が、駆動部と、駆動部の駆動力を振動力に変換するための変換部と、変換部から振動力を伝達される振動子とで構成してあることを特徴とする請求項１記載のエアー圧迫と振動手段を備えたマッサージ機。
【請求項３】
振動子の人体の脚部に当接する面に凹凸部を設けて成ることを特徴とする請求項１又は請求項２記載のエアー圧迫と振動手段を備えたマッサージ機。
【請求項４】
人体の脚部の両側に接触する対となった空気袋と、対となった空気袋をエアーの供給と排出によって膨張収縮させるエアーポンプとを備えたマッサージ機において、対となった空気袋の人体の脚部に当接する面以外の部位にそれぞれ空気袋を振動させるための振動手段を設けて成ることを特徴とするエアー圧迫と振動手段を備えたマッサージ機。
【請求項５】
圧力センサを空気袋の人体の脚部に当接する面に設け、圧力センサの値が設定された上限値以下且つ設定された下限値以上となるようにエアーポンプ及び振動手段を制御する制御部を設けて成ることを特徴とする請求項１又は請求項４記載のエアー圧迫と振動手段を備えたマッサージ機。
【請求項６】
エアーの供給によって膨張する空気袋が人体の脚部を圧迫する際に振動手段を作動させ、エアーの排出によって空気袋が収縮した際に振動手段を停止するように制御する制御部を設けて成ることを特徴とする請求項１又は請求項４記載のエアー圧迫と振動手段を備えたマッサージ機。
【請求項７】
振動手段が駆動と停止を一定間隔毎に繰り返すように制御する制御部を設けて成ることを特徴とする請求項１又は請求項４記載のエアー圧迫と振動手段を備えたマッサージ機。
【発明の詳細な説明】
【０００１】
【発明の属する技術分野】
本発明は、エアーの供給と排出とによって膨張収縮する空気袋で人体の当接面を圧迫してマッサージをする手段を備えたマッサージ機に関するものである。
【０００２】
【従来の技術】
従来から空気袋の空気圧を変化させることで空気袋を膨張収縮させて人体に刺激を与える空気袋を備えた椅子式のエアーマッサージ装置において、振動手段を備えたものが知られている。（例えば特許文献１参照）
上記特許文献１に示された従来例は、空気袋で人体をエアーマッサージする際に人体の一面のみに振動手段で振動を与えるようになっている。すなわち、マッサージ椅子に座った人が該マッサージ椅子の足載せ台である脚部マッサージ部に人体の脚部を載せて空気袋によりエアーマッサージする場合に、脚部マッサージ部に設けた人体の脚部を入れる凹部の底面のみに振動手段を配置したり、あるいは凹部の一側面にのみ振動手段を配置して凹部に入れた脚部の裏面側のみに振動手段で振動を与えたり、あるいは凹部に入れた脚部の一側面側にのみ振動手段で振動を与えたりしているにすぎず、従来においては、脚部を空気袋でエアーマッサージする際に脚部の両側から振動を与えながらエアーマッサージするようになっていなくて脚部のマッサージ効果が十分でないという問題があった。
【０００３】
【特許文献１】
特開２００１−２５４９７号公報
【０００４】
【発明が解決しようとする課題】
本発明は上記の点に鑑みてなされたものであり、人体の脚部を両側からエアーマッサージすると共に両側から脚部に振動を与えてエアーマッサージが効果的にできるエアー圧迫と振動手段を備えたマッサージ機を提供することを課題とするものである。
【０００５】
【課題を解決するための手段】
上記課題を解決するために本発明に係るエアー圧迫と振動手段を備えたマッサージ機は、人体Ａの脚部Ｂの両側に接触する対となった空気袋１と、対となった空気袋１をエアーの供給と排出によって膨張収縮させるエアーポンプ２とを備えたマッサージ機３において、対となった空気袋１の対向面にそれぞれ振動手段４を設けて成ることを特徴とするものである。このような構成とすることで、人体Ａの脚部Ｂを対となった空気袋１により脚部Ｂの両側からエアーマッサージする際に、振動手段４により脚部Ｂの両側から振動を逃がすことなく効果的に振動を付与して血行を良好にしつつ空気袋の膨縮によりエアーマッサージできるので、効果的なエアーマッサージができるものである。
【０００６】
また、振動手段４が、駆動部５と、駆動部５の駆動力を振動力に変換するための変換部６と、変換部６から振動力を伝達される振動子７とで構成してあることが好ましい。このような構成とすることで、振動子７のみを空気袋１に設けるのみでよいので、脚部Ｂをマッサージする部分の構成が簡略化されるものであり、また、駆動部５を制御することで、振動を強弱するようにできて自由に振動の強弱を設定することが可能となる。
【０００７】
また、振動子７の人体Ａの脚部Ｂに当接する面に凹凸部８を設けることが好ましい。このような構成とすることで、脚部Ｂの両側から空気袋１によりエアーマッサージする際に脚部Ｂの両側からマッサージの手技の指圧という動作で振動子７により指圧振動を効果的に与えることができるものである。
【０００８】
また、人体Ａの脚部Ｂの両側に接触する対となった空気袋１と、対となった空気袋１をエアーの供給と排出によって膨張収縮させるエアーポンプ２とを備えたマッサージ機３において、対となった空気袋１の人体Ａの脚部Ｂに当接する面以外の部位にそれぞれ空気袋１を振動させるための振動手段４を設けることが好ましい。このような構成とすることで、脚部Ｂの両側から対となった空気袋１でエアーマッサージする際に、対となった空気袋１を介して脚部Ｂの両側に振動を伝達できて、柔軟に振動が伝わるものである。
【０００９】
また、圧力センサ９を空気袋１の人体Ａの脚部Ｂに当接する面に設け、圧力センサ９の値が設定された上限値以下且つ設定された下限値以上となるようにエアーポンプ２及び振動手段４を制御する制御部１０を設けることが好ましい。このような構成とすることで、人体Ａの脚部Ｂが実際に受ける圧迫力を圧力センサ９により正確に把握することができ、正確に目的とする圧迫力となるように制御することができるものであり、これによりそれぞれの人に合った圧迫力に制御することができ、また、異常値が発生した場合には急停止することも可能となるものである。
【００１０】
また、エアーの供給によって膨張する空気袋１が人体Ａの脚部Ｂを圧迫する際に振動手段４を作動させ、エアーの排出によって空気袋１が収縮した際に振動手段４を停止するように制御する制御部１０を設けることが好ましい。このような構成とすることで、対となった空気袋１を膨張して人体Ａの脚部Ｂを両側から圧迫した際に振動手段４により脚部Ｂの両側から振動を与えてことで、より効果的なエアーマッサージができるものである。
【００１１】
また、振動手段４が駆動と停止を一定間隔毎に繰り返すように制御する制御部１０を設けることが好ましい。このような構成とすることで、人体Ａの脚部Ｂに両側からリズミカルな振動を与えることができるものである。
【００１２】
【発明の実施の形態】
以下、本発明を添付図面に示す実施形態に基づいて説明する。
【００１３】
図１にはマッサージ機３の一実施形態が示してある。図１に示す実施形態のマッサージ機３は椅子型のマッサージ機３で椅子型体１４に背もたれ部１５、背もたれ部１５の下部に連結された座部１６、座部１６の前端部に連結された脚部マッサージ部１７を支持し、更に上記背もたれ部１５の上端に延設された頭当接部１８を設けて構成してある。上記背もたれ部１５、座部１６、脚部マッサージ部１７、頭当接部１８は各々自在に角度を調節できるように連結してある。
【００１４】
背もたれ部１５には揉み動作や叩き動作を行うためのマッサージ機構部１９が内蔵してあって、人体Ａの背中Ｃを揉んだり、叩いたりして背中Ｃのこりをほぐして疲労回復させるようになっており、駆動源２０、揉み玉２１が背もたれ部１５の裏側に沿って縦方向、横方向及び前後方向に移動することで人体Ａの背中Ｃに揉みや叩きマッサージを行うようになっている。
【００１５】
脚部マッサージ部１７は図２に示すように上面部に前後方向を向く両側壁用フレーム部２２、中央壁用フレーム部２３が略平行に突設してあり、中央壁用フレーム部２３の両側と両側壁用フレーム部２２との間にそれぞれ前後及び上方に開口した脚部入れ用凹部２４が形成してある。つまり、座部１６に座った人の両脚部Ｂをそれぞれ片足ずつ両脚部入れ用凹部２４に入れて支持することができるようになっている。
【００１６】
各脚部入れ用凹部２４の両側面にはそれぞれ対向するように空気袋１が設けてある。この空気袋１には配管２５を介してエアーポンプ２が接続してあり、エアー取り入れ用の配管２８から外気を取り込んでエアーポンプ２によって空気袋１にエアーを供給することで空気袋１を膨張し、脚部入れ凹部２４の両側に設けた対となった空気袋１が脚部入れ凹部２４に入れた人体Ａの脚部Ｂ（片足）を両側から挟み込むようにして圧迫し、また、配管２５に設けたバルブ２７を切り換えて空気袋１の加圧空気を排気用配管２６から排気することで脚部Ｂを両側から挟み込むようにして圧迫していた対となった空気袋１を収縮し、このように対となった空気袋１を膨張したり収縮したりして人体Ａの脚部Ｂを両側からエアーマッサージするようになっている。
【００１７】
人体Ａの脚部Ｂの両側から挟み込むようにして圧迫してエアーマッサージを行う対となった空気袋１の対向面にはそれぞれ振動手段４を設けある。振動手段４は図２に示すように、駆動部５と、駆動部５の駆動力を振動力に変換するための変換部６と、変換部６から振動力を伝達される振動子７とで構成してある。振動子７は図３に示すように対となった空気袋１の対向面（つまり空気袋１の脚部Ｂに向かい合う面）に取付けてあり、図３に示す実施形態では空気袋１の対向面に上下に複数個（図では２個）設けてある。
【００１８】
しかして、対となった空気袋１により上記のように人体Ａの脚部Ｂの両側からエアーマッサージする際に、振動手段４により脚部Ｂの両側から脚部Ｂに振動を与えながらエアーマッサージするものである。この場合、振動手段４により脚部Ｂの両側に直接振動を与えることで、振動を逃がすことなく両側から効果的に脚部Ｂに振動を与えて脚部Ｂの血行を良好にし、このように脚部Ｂの両側から振動を効果的に与えて脚部Ｂの血行を良好にしつつ空気袋１の膨縮により脚部Ｂを両側からエアーマッサージができるので、単に空気袋１でエアーマッサージするものや、あるいは脚部Ｂの下面のみあるいは一側面のみに振動を与えながらエアーマッサージする従来例に比べて振動を逃がすことなく効果的なエアーマッサージができることになる。
【００１９】
ここで、上記のように、振動手段４が、駆動部５と、駆動部５の駆動力を振動力に変換するための変換部６と、変換部６から振動力を伝達される振動子７とで構成してあることで、図３に示すように、振動子７のみを空気袋１に設けるのみでよく、これにより脚部Ｂをマッサージする部分の構成が簡略化されるものであり、脚部Ｂをマッサージする部分をコンパクトにできるものである。また、駆動部５の駆動は制御部１０により制御するものであり、振動子７で発生させる振動の強弱を制御できるようになっており、任意の振動の強さとなるように自由に設定できる。また、対となった空気袋１の対向面にそれぞれ振動子７を設けてあるので、振動を逃がすことなく人体Ａの脚部Ｂに及ぼす力を容易に調節することができるものである。
【００２０】
ところで、上記のように対となった空気袋１の対向面にそれぞれ振動子７を設けたものにおいて、図２に示すように、振動子７の人体Ａの脚部Ｂに当接する面に凹凸部８を設けるのが好ましいものである。このように、振動子７の人体Ａの脚部Ｂに当接する面に凹凸部８を設けることで、脚部Ｂの両側から対となった空気袋１によりエアーマッサージする際に脚部Ｂの両側から振動子７の凹凸部８から振動が伝わると共に空気袋１の膨張による圧迫力が脚部Ｂの両側から作用するのであるが、この場合の振動子７の凹凸部８部分からの圧迫がマッサージの手技の指圧動作に近い動作となり、したがって、脚部Ｂの両側からマッサージの手技の指圧という動作で振動子７により指圧振動を効果的に与えつつエアーマッサージができるものである。
【００２１】
次に、本発明の他の実施形態を説明する。前述の図２に示す実施形態においては人体Ａの脚部Ｂの両側から挟み込むようにして圧迫してエアーマッサージを行う対となった空気袋１の対向面にそれぞれ振動手段４の振動子７を設けた例を示しているが、本実施形態では対となった空気袋１の人体Ａの脚部Ｂに当接する面以外の部位にそれぞれ空気袋１を振動させるための振動手段４を設けたものである。すなわち、図４においては対となった空気袋１の互いに対向する対向面と反対側の面側に振動手段４の振動子７を設けてある（つまり両側壁用フレーム部２２の内面側に設けた空気袋１の場合には空気袋１と側壁用フレーム部２２との間に振動子７を設け、中央壁用フレーム部２３の両側に設けた空気袋１の場合には空気袋１と中央壁用フレーム部２３との間に振動子７を設けてある）。
【００２２】
このように対となった空気袋１の人体Ａの脚部Ｂに当接する面以外の部位にそれぞれ空気袋１を振動させるための振動手段４を設けたので、脚部Ｂの両側から対となった空気袋１でエアーマッサージする際に、対となった空気袋１を介して脚部Ｂの両側に振動を伝達できて、柔軟に振動が伝わるものであり、血行を良くすると共に効果的なエアーマッサージができるものである。
【００２３】
ところで、本発明においては、前述の各実施形態において、空気袋１の人体Ａの脚部Ｂに当接する面に圧力センサ９を設け、図５に示すように圧力センサ９の値が設定された上限値以下且つ設定された下限値以上となるようにエアーポンプ２及び振動手段４を制御部１０により制御するようにするのが好ましいものである。図４にはその一例が示してあるが、図示を省略しているが、図２の実施形態においても同様に圧力センサ９を空気袋１の人体Ａの脚部Ｂに当接する面に設けてもよい。このように圧力センサ９を設けることで、人体Ａの脚部Ｂが実際に受ける圧迫力を圧力センサ９により正確に把握することができ、正確に目的とする圧迫力となるように制御することができるものであり、これによりそれぞれの人に合った圧迫力に制御することができ、また、異常値が発生した場合には急停止することも可能となって、人体を傷つけたりすることがないものである。
【００２４】
次に、本発明の更に他の実施形態につき説明する。本実施形態においては、図６に示すように、エアーの供給によって膨張する空気袋１が人体Ａの脚部Ｂを圧迫する際に振動手段４を作動させ、エアーの排出によって空気袋１が収縮した際に振動手段４を停止するように制御部１０により制御するようになっている。このように制御することで、対となった空気袋１を膨張して人体Ａの脚部Ｂを両側から圧迫した際に振動手段４により脚部Ｂの両側から振動を与えてことで、より効果的なエアーマッサージができることになる。
【００２５】
また、図７に示すように、対となった空気袋１がエアーの供給と排出によって膨張、収縮して人体Ａの脚部Ｂを両側からエアーマッサージする時に、振動手段４を一定時間駆動させた後に一定時間停止させることを繰り返すように制御部１０により制御するようにしてもよいものである。このように振動手段４が駆動と停止を一定間隔毎に繰り返すように制御することで、人体Ａの脚部Ｂに両側からリズミカルな振動を与えながらエアーマッサージができるものである。
【００２６】
【発明の効果】
上記のように本発明の請求項１記載の発明にあっては、人体の脚部の両側に接触する対となった空気袋と、対となった空気袋をエアーの供給と排出によって膨張収縮させるエアーポンプとを備えたマッサージ機において、対となった空気袋の対向面にそれぞれ振動手段を設けてあるので、人体の脚部を対となった空気袋により脚部の両側からエアーマッサージする際に、振動手段により脚部の両側から振動を逃がすことなく効果的に振動を付与して血行を良好にしつつ空気袋の膨縮によりエアーマッサージできるので、効果的なエアーマッサージができて脚部の疲労回復が有効になされるものである。
【００２７】
また、請求項２記載の発明にあっては、上記請求項１記載の発明の効果に加えて、振動手段が、駆動部と、駆動部の駆動力を振動力に変換するための変換部と、変換部から振動力を伝達される振動子とで構成してあるので、振動子のみを空気袋に設けるのみでよいので、脚部をマッサージする部分の構成が簡略化されるものであり、また、駆動部を制御することで、振動を強弱するようにできて自由に振動の強弱を設定することが可能となるものである。
【００２８】
また、請求項３記載の発明にあっては、上記請求項１又は請求項２記載の発明の効果に加えて、振動子の人体の脚部に当接する面に凹凸部を設けてあるので、脚部の両側から空気袋によりエアーマッサージする際に脚部の両側からマッサージの手技の指圧という動作で振動子により指圧振動を効果的に与えることができ、これにより脚部のこり部分を両側から集中的にマッサージできてマッサージ効果を高めることができるものである。
【００２９】
また、請求項４記載の発明にあっては、人体の脚部の両側に接触する対となった空気袋と、対となった空気袋をエアーの供給と排出によって膨張収縮させるエアーポンプとを備えたマッサージ機において、対となった空気袋の人体の脚部に当接する面以外の部位にそれぞれ空気袋を振動させるための振動手段を設けてあるので、脚部の両側から対となった空気袋でエアーマッサージする際に、対となった空気袋を介して脚部の両側に振動を伝達できて、柔軟に振動が伝わり、脚部の血行を良しながら効果的なエアーマッサージができるものである。
【００３０】
また、請求項５記載の発明にあっては、上記請求項１又は請求項４記載の発明の効果に加えて、圧力センサを空気袋の人体の脚部に当接する面に設け、圧力センサの値が設定された上限値以下且つ設定された下限値以上となるようにエアーポンプ及び振動手段を制御する制御部を設けてあるので、人体の脚部が実際に受ける圧迫力を圧力センサにより正確に把握することができ、正確に目的とする圧迫力となるように制御することができるものであり、これによりそれぞれの人に合った圧迫力に制御することができ、また、異常値が発生した場合には急停止することも可能となって人体の脚部を傷つけたりすることがないものである。
【００３１】
また、請求項６記載の発明にあっては、上記請求項１又は請求項４記載の発明の効果に加えて、エアーの供給によって膨張する空気袋が人体の脚部を圧迫する際に振動手段を作動させ、エアーの排出によって空気袋が収縮した際に振動手段を停止するように制御する制御部を設けてあるので、対となった空気袋を膨張して人体の脚部を両側から圧迫した際に振動手段により脚部の両側から振動を与えてことで、より効果的なエアーマッサージができるものである。
【００３２】
また、請求項７記載の発明にあっては、上記請求項１又は請求項４記載の発明の効果に加えて、振動手段が駆動と停止を一定間隔毎に繰り返すように制御する制御部を設けて成ることを特徴とする請求項１又は請求項４記載のエアー圧迫と振動手段を備えてあるので、人体の脚部に両側からリズミカルな振動を与えることができ、リラックスした状態で脚部を両側から効果的にエアーマッサージすることができるものである。
【図面の簡単な説明】
【図１】本発明の全体説明図である。
【図２】同上のエアー圧迫と振動手段を備えたマッサージ機の要部説明図である。
【図３】同上の空気袋の一面に振動子を設けた例を示し、（ａ）は斜視図であり、（ｂ）は空気袋を膨張させた状態の断面図である。
【図４】同上の他の実施形態のエアー圧迫と振動手段を備えたマッサージ機の要部説明図である。
【図５】同上の更に他の実施形態の圧迫力の設定上限値と設定下限値とを示すグラフである。
【図６】同上の更に他の実施形態における振動手段の駆動と空気袋内のエアー圧力との関係を示すグラフである。
【図７】同上の更に他の実施形態の振動手段の動作を示すグラフである。
【符号の説明】
Ａ  人体
Ｂ  脚部
１  空気袋
２  エアーポンプ
３  マッサージ機
４  振動手段
５  駆動部
６  変換部
７  振動子
８  凹凸部
９  圧力センサ
１０  制御部
【図１】
2004201843.tif 000003
【図２】
2004201843.tif 000004
【図３】
2004201843.tif 000005
【図４】
2004201843.tif 000006
【図５】
2004201843.tif 000007
【図６】
2004201843.tif 000008
【図７】
2004201843.tif 000009